(57)【要約】処理回路と；コンピュータプログラムコードを含むメモリ回路を備える装置であって、メモリ回路及びコンピュータプログラムコードは、処理回路を用いて装置に少なくとも：第１のユーザデバイス及び付属デバイスを用いてサービスが提供されるようにすることであって、付属デバイスは無線接続を通じて第１のユーザデバイスに接続され、複数のユーザデバイスがユーザアカウントに登録されている、前記提供されるようにすることと；第１のユーザデバイスから状態情報を取得することと；トリガイベントが発生したと決定し、トリガイベントが発生したことの決定に応じて、第２のユーザデバイスが付属デバイスとの接続を確立できるようにすることであって、第２のユーザデバイスはユーザアカウントに登録されている、前記確立できるようにすることを実行させるように構成される、装置が提供される。また、方法、コンピュータプログラムも提供される。【選択図】図１
2017519383.tif 000002
【特許請求の範囲】
【請求項１】
処理回路と；
コンピュータプログラムコードを含むメモリ回路を備える装置であって、
前記メモリ回路及び前記コンピュータプログラムコードは、前記処理回路を用いて、前記装置に少なくとも：
第１のユーザデバイス及び付属デバイスを用いてサービスが提供されるようにすることであって、前記付属デバイスは無線接続を通じて前記第１のユーザデバイスに接続され、複数のユーザデバイスはユーザアカウントに登録されている、前記提供されるようにすることと；
前記第１のユーザデバイスから状態情報を取得することと；
トリガイベントが発生したと決定し、トリガイベントが発生したことの決定に応じて、前記第２のユーザデバイスが前記付属デバイスとの無線接続を確立できるようにすることであって、前記第２のユーザデバイスは前記ユーザアカウントに登録されていて、前記トリガイベントは、ユーザが前記第２のユーザデバイスを使用中であることを示す情報の取得を含む、前記確立できるようにすること
を実行させるように構成される、装置。
【請求項２】
前記取得された状態情報は、前記第２のユーザデバイスが前記付属デバイスとの無線接続を確立できるように、前記第２のユーザデバイスに提供される、請求項１に記載の装置。
【請求項３】
前記第２のユーザデバイスとの無線接続が確立された後、前記第２のユーザデバイス及び前記付属デバイスを用いて前記サービスが提供される、請求項１又は２に記載の装置。
【請求項４】
前記状態情報は、前記付属デバイスが前記ユーザデバイスによって識別されるようにする情報を含む、請求項１乃至３の何れかに記載の装置。
【請求項５】
前記状態情報は、前記第１のユーザデバイス及び前記付属デバイスによって現在提供中のサービスに関する情報を含む、請求項１乃至４の何れかに記載の装置。
【請求項６】
前記装置は更に、前記第１のユーザデバイス及び前記付属デバイス間の無線接続の性能水準に関する情報を取得する、請求項１乃至５の何れかに記載の装置。
【請求項７】
前記トリガイベントは、前記第１のユーザデバイス及び前記付属デバイス間の無線接続が所定の水準より下がることの検出を含む、請求項６に記載の装置。
【請求項８】
前記トリガイベントはユーザ入力を含む、請求項１乃至７の何れかに記載の装置。
【請求項９】
前記付属デバイス及び他のデバイス間の無線接続は近距離無線接続を含む、請求項１乃至８の何れかに記載の装置。
【請求項１０】
前記付属デバイスはウェアラブルデバイスを含む、請求項１乃至９の何れかに記載の装置。
【請求項１１】
前記装置は、インターネット接続を通じて前記第１及び第２のユーザデバイスに接続するように構成される、請求項１乃至１０の何れかに記載の装置。
【請求項１２】
前記第１及び第２のユーザデバイスの少なくとも１つは、携帯デバイスを含む、請求項１乃至１１の何れかに記載の装置。
【請求項１３】
請求項１乃至１２の何れかに記載の装置を備える、サーバ。
【請求項１４】
第１のユーザデバイス及び付属デバイスを用いてサービスが提供されるようにすることであって、前記付属デバイスは無線接続を通じて前記第１のユーザデバイスに接続され、複数のユーザデバイスはユーザアカウントに登録されている、前記提供されるようにすることと；
トリガイベントが発生したと決定し、トリガイベントが発生したことの決定に応じて、前記第２のユーザデバイスが前記付属デバイスとの無線接続を確立できるようにすることであって、前記第２のユーザデバイスは前記ユーザアカウントに登録されていて、前記トリガイベントは、ユーザが前記第２のユーザデバイスを使用中であることを示す情報の取得を含む、前記確立できるようにすること
を含む、方法。
【請求項１５】
前記取得された状態情報は、前記第２のユーザデバイスが前記付属デバイスとの無線接続を確立できるように、前記第２のユーザデバイスに提供される、請求項１４に記載の方法。
【請求項１６】
前記第２のユーザデバイスとの無線接続が確立された後、前記第２のユーザデバイス及び前記付属デバイスを用いて前記サービスが提供される、請求項１４又は１５に記載の方法。
【請求項１７】
前記状態情報は、前記付属デバイスが前記ユーザデバイスによって識別されるようにする情報を含む、請求項１４乃至１６の何れかに記載の方法。
【請求項１８】
前記状態情報は、前記第１のユーザデバイス及び前記付属デバイスによって現在提供中のサービスに関する情報を含む、請求項１４乃至１７の何れかに記載の方法。
【請求項１９】
前記第１のユーザデバイス及び前記付属デバイス間の無線接続の性能水準に関する情報を取得することを更に含む、請求項１４乃至１８の何れかに記載の方法。
【請求項２０】
前記トリガイベントは、前記第１のユーザデバイス及び前記付属デバイス間の無線接続の性能水準が所定の水準より下がることの検出を含む、請求項１９に記載の方法。
【請求項２１】
前記トリガイベントはユーザ入力を含む、請求項１４乃至２０の何れかに記載の方法。
【請求項２２】
前記付属デバイス及び他のデバイス間の無線接続は近距離無線接続を含む、請求項１４乃至２１の何れかに記載の方法。
【請求項２３】
前記付属デバイスはウェアラブルデバイスを含む、請求項１４乃至２２の何れかに記載の方法。
【請求項２４】
前記装置は、インターネット接続を通じて前記第１及び第２のユーザデバイスに接続するように構成される、請求項１４乃至２３の何れかに記載の方法。
【請求項２５】
前記第１及び第２のユーザデバイスの少なくとも１つは、携帯デバイスを含む、請求項１４乃至２４の何れかに記載の方法。
【請求項２６】
コンピュータプログラム命令を含むコンピュータプログラムであって、前記コンピュータプログラム命令は、処理回路で実行されると：
第１のユーザデバイス及び付属デバイスを用いてサービスが提供されるようにすることであって、前記付属デバイスは無線接続を通じて前記第１のユーザデバイスに接続され、複数のユーザデバイスはユーザアカウントに登録されている、前記提供されるようにすることと；
前記第１のユーザデバイスから状態情報を取得することと；
トリガイベントが発生したと決定し、トリガイベントが発生したことの決定に応じて、前記第２のユーザデバイスが前記付属デバイスとの無線接続を確立できるようにすることであって、前記第２のユーザデバイスは前記ユーザアカウントに登録されていて、前記トリガイベントは、ユーザが前記第２のユーザデバイスを使用中であることを示す情報の取得を含む、前記確立できるようにすること
を実行させるように構成される、装置。
【請求項２７】
請求項１４乃至２４の何れかに記載の方法をコンピュータに実行させるためのプログラム命令を含むコンピュータプログラム。
【請求項２８】
請求項２６乃至２７の何れかに記載のコンピュータプログラムを具現化する物理的実体。
【請求項２９】
請求項２６乃至２７の何れかに記載のコンピュータプログラムを搬送する電磁的伝搬信号。
【請求項３０】
処理回路と；
コンピュータプログラムコードを含むメモリ回路を備える装置であって、
前記メモリ回路及び前記コンピュータプログラムコードは、前記処理回路を用いて、前記装置に少なくとも：
サーバとの通信を可能にすることであって、前記サーバは、第１のユーザデバイス及び付属デバイスを用いてサービスが提供されるように構成され、前記付属デバイスは、無線接続を通じて前記第１のユーザデバイスに接続され、前記サービス用ユーザアカウントに複数のユーザデバイスが登録されている、前記可能にすることと；
前記サーバから状態情報を取得することと；
トリガイベントが発生したと決定し、トリガイベントが発生したことの決定に応じて、前記付属デバイスとの無線接続を確立することであって、前記トリガイベントは、ユーザが前記第２のユーザデバイスを使用中であることを示す情報の取得を含む、前記確立すること
を実行させるように構成される、装置。
【請求項３１】
前記取得された状態情報は、前記無線通信が確立されるように使用される情報を含む、請求項３０に記載の装置。
【請求項３２】
前記装置との無線接続が確立された後、前記装置及び前記付属デバイスを用いて前記サービスが提供される、請求項３０又は３１に記載の装置。
【請求項３３】
前記状態情報は、前記付属デバイスが前記ユーザデバイスによって識別されるようにする情報を含む、請求項３０乃至３２の何れかに記載の装置。
【請求項３４】
前記状態情報は、前記装置及び前記付属デバイスによって現在提供中のサービスに関する情報を含む、請求項３０乃至３３の何れかに記載の装置。
【請求項３５】
サーバとの通信を可能にすることであって、前記サーバは、第１のユーザデバイス及び付属デバイスを用いてサービスが提供されるように構成され、前記付属デバイスは、無線接続を通じて前記第１のユーザデバイスに接続され、前記サービス用ユーザアカウントに複数のユーザデバイスが登録されている、前記可能にすることと；
前記サーバから状態情報を取得することと；
トリガイベントが発生したと決定し、トリガイベントが発生したことの決定に応じて、前記付属デバイスとの無線接続を確立することであって、前記トリガイベントは、ユーザが前記第２のユーザデバイスを使用中であることを示す情報の取得を含む、前記確立すること
を含む、方法。
【請求項３６】
前記取得された状態情報は、前記無線通信が確立されるように使用される情報を含む、請求項３５に記載の方法。
【請求項３７】
前記装置との無線接続が確立された後、前記装置及び前記付属デバイスを用いて前記サービスが提供される、請求項３５又は３６に記載の方法。
【請求項３８】
前記状態情報は、前記付属デバイスが前記ユーザデバイスによって識別されるようにする情報を含む、請求項３５乃至３７の何れかに記載の方法。
【請求項３９】
前記状態情報は、前記装置及び前記付属デバイスによって現在提供中のサービスに関する情報を含む、請求項３５乃至３８の何れかに記載の装置。
【請求項４０】
コンピュータプログラム命令を含むコンピュータプログラムであって、前記コンピュータプログラム命令は、処理回路で実行されると：
サーバとの通信を可能にすることであって、前記サーバは、第１のユーザデバイス及び付属デバイスを用いてサービスが提供されるように構成され、前記付属デバイスは、無線接続を通じて前記第１のユーザデバイスに接続され、前記サービス用ユーザアカウントに複数のユーザデバイスが登録されている、前記可能にすることと；
前記サーバから状態情報を取得することと；
トリガイベントが発生したと決定し、トリガイベントが発生したことの決定に応じて、前記付属デバイスとの無線接続を確立することであって、前記トリガイベントは、ユーザが前記第２のユーザデバイスを使用中であることを示す情報の取得を含む、前記確立すること
を可能にする、コンピュータプログラム。
【請求項４１】
請求項３５乃至３９の何れかに記載の方法をコンピュータに実行させるためのプログラム命令を含むコンピュータプログラム。
【請求項４２】
請求項４０乃至４１の何れかに記載のコンピュータプログラムを具現化する物理的実体。
【請求項４３】
請求項４０乃至４１の何れかに記載のコンピュータプログラムを搬送する電磁的伝搬信号。
【発明の詳細な説明】
【技術分野】
【０００１】
本開示の実施例は、無線接続を確立する装置、方法及びコンピュータプログラムに関する。具体的には、本開示の実施例は、付属デバイスと別のユーザデバイスとの間の無線接続を確立する装置、方法及びコンピュータプログラムに関する。
【背景】
【０００２】
電子デバイスにおいて、近距離無線ネットワークを確立できるものが知られている。例えば、ユーザはヘッドセットを携帯電話やゲーム機器、タブレットコンピュータ、その他適切なデバイスに接続することができる。場合によっては、ユーザは、ヘッドセット又は他の付属デバイスに接続されているデバイスを換えたいと望むこともある。例として、ユーザは電話機とヘッドセットで音楽を聴いているが、そのヘッドセットをタブレットに接続してゲームをプレイし始められるようにしたいと望むかもしれない。このとき、ユーザは付属デバイスを第１のデバイスから切断して第２のデバイスへの接続を行なう必要がある。この手続には、付属デバイスを第２のデバイスによって発見可能にすることと、付属デバイスを識別することと、近距離無線通信の確立を可能にすることを含む複数のステップが含まれうる。
【０００３】
ユーザが付属デバイスの接続を別々のユーザデバイスとの間で容易に切り換えられることは有益である。
【摘要】
【０００４】
本開示の様々な、しかし必ずしも全てではない実施例によれば、処理回路と；コンピュータプログラムコードを含むメモリ回路を備える装置であって、メモリ回路及びコンピュータプログラムコードは、処理回路を用いて装置に少なくとも：第１のユーザデバイス及び付属デバイスを用いてサービスが提供されるようにすることであって、付属デバイスは無線接続を通じて第１のユーザデバイスに接続され、複数のユーザデバイスがユーザアカウントに登録されている、前記提供されるようにすることと；第１のユーザデバイスから状態情報を取得することと；トリガイベントが発生したと決定し、トリガイベントが発生したことの決定に応じて、第２のユーザデバイスが付属デバイスとの接続を確立できるようにすることであって、第２のユーザデバイスはユーザアカウントに登録されている、前記確立できるようにすることを実行させるように構成される、装置が提供されうる。
【０００５】
実施例によっては、前記取得された状態情報は、前記第２のユーザデバイスが前記付属デバイスとの無線接続を確立できるように、前記第２のユーザデバイスに提供されてもよい。
【０００６】
実施例によっては、前記第２のユーザデバイスとの無線接続が確立された後、前記第２のユーザデバイス及び前記付属デバイスを用いて前記サービスが提供されてもよい。
【０００７】
実施例によっては、状態情報は、付属デバイスがユーザデバイスによって識別されるようにする情報を含んでもよい。
【０００８】
実施例によっては、前記状態情報は、前記第１のユーザデバイス及び前記付属デバイスによって現在提供中のサービスに関する情報を含んでもよい。
【０００９】
実施例によっては、前記装置は、前記第１のユーザデバイス及び前記付属デバイス間の無線接続の性能水準に関する情報を取得してもよい。前記トリガイベントは、前記第１のユーザデバイス及び前記付属デバイス間の無線接続が所定の水準より下がることの検出を含んでもよい。
【００１０】
実施例によっては、トリガイベントは、ユーザが第２のユーザデバイスを使用中であることを示す情報の取得を含んでもよい。
【００１１】
実施例によっては、トリガイベントがユーザ入力を含んでもよい。
【００１２】
実施例によっては、前記付属デバイス及び他のデバイス間の無線接続は近距離無線接続を含んでもよい。
【００１３】
実施例によっては、付属デバイスがウェアラブルデバイスを含んでもよい。
【００１４】
実施例によっては、前記装置は、インターネット接続を通じて前記第１及び第２のユーザデバイスに接続するように構成されてもよい。
【００１５】
実施例によっては、前記第１及び第２のユーザデバイスの少なくとも１つが携帯デバイスを含んでもよい。
【００１６】
実施例によっては、前述のような装置を備えるサーバが提供されてもよい。
【００１７】
本開示の様々な、しかし必ずしも全てではない実施例によれば、第１のユーザデバイス及び付属デバイスを用いてサービスが提供されるようにすることであって、付属デバイスは無線接続を通じて第１のユーザデバイスに接続され、複数のユーザデバイスがユーザアカウントに登録されている、前記提供されるようにすることと；トリガイベントが発生したと決定し、トリガイベントが発生したことの決定に応じて、第２のユーザデバイスが付属デバイスとの接続を確立できるようにすることであって、第２のユーザデバイスはユーザアカウントに登録されている、前記確立できるようにすることを含む、方法が提供されうる。
【００１８】
実施例によっては、前記取得された状態情報は、前記第２のユーザデバイスが前記付属デバイスとの無線接続を確立できるように、前記第２のユーザデバイスに提供されてもよい。
【００１９】
実施例によっては、前記第２のユーザデバイスとの無線接続が確立された後、前記第２のユーザデバイス及び前記付属デバイスを用いて前記サービスが提供されてもよい。
【００２０】
実施例によっては、状態情報は、付属デバイスがユーザデバイスによって識別されるようにする情報を含んでもよい。
【００２１】
実施例によっては、前記状態情報は、前記第１のユーザデバイス及び前記付属デバイスによって現在提供中のサービスに関する情報を含んでもよい。
【００２２】
実施例によっては、本方法は、前記第１のユーザデバイス及び前記付属デバイス間の無線接続の性能水準に関する情報の取得を含んでもよい。前記トリガイベントは、前記第１のユーザデバイス及び前記付属デバイス間の無線接続の性能水準が所定の水準より下がることの検出を含んでもよい。
【００２３】
実施例によっては、トリガイベントは、ユーザが第２のユーザデバイスを使用中であることを示す情報の取得を含んでもよい。
【００２４】
実施例によっては、トリガイベントがユーザ入力を含んでもよい。
【００２５】
実施例によっては、前記付属デバイス及び他のデバイス間の無線接続は近距離無線接続を含んでもよい。
【００２６】
実施例によっては、付属デバイスがウェアラブルデバイスを含んでもよい。
【００２７】
実施例によっては、前記装置は、インターネット接続を通じて前記第１及び第２のユーザデバイスに接続するように構成されてもよい。
【００２８】
実施例によっては、前記第１及び第２のユーザデバイスの少なくとも１つが携帯デバイスを含んでもよい。
【００２９】
本開示の様々な、しかし必ずしも全てではない実施例によれば、コンピュータプログラム命令を含むコンピュータプログラムであって、前記コンピュータプログラム命令は、処理回路で実行されると：第１のユーザデバイス及び付属デバイスを用いてサービスが提供されるようにすることであって、付属デバイスは無線接続を通じて第１のユーザデバイスに接続され、複数のユーザデバイスがユーザアカウントに登録されている、前記提供されるようにすることと；第１のユーザデバイスから状態情報を取得することと；トリガイベントが発生したと決定し、トリガイベントが発生したことの決定に応じて、第２のユーザデバイスが付属デバイスとの接続を確立できるようにすることであって、第２のユーザデバイスはユーザアカウントに登録されている、前記確立できるようにすることを可能にする、コンピュータプログラムが提供されうる。
【００３０】
本開示の様々な、しかし必ずしも全てではない実施例によれば、前述の方法をコンピュータに実行させるプログラム命令を含むコンピュータプログラムが提供されてもよい。
【００３１】
本開示の様々な、しかし必ずしも全てではない実施例によれば、前述のようなコンピュータプログラムを具現化する物理的実体が提供されてもよい。
【００３２】
本開示の様々な、しかし必ずしも全てではない実施例によれば、前述のようなコンピュータプログラムを搬送する電磁的伝搬信号が提供されてもよい。
【００３３】
本開示の様々な、しかし必ずしも全てではない実施例によれば、処理回路と；コンピュータプログラムコードを含むメモリ回路を備える装置であって、前記メモリ回路及び前記コンピュータプログラムコードは、前記処理回路を用いて、前記装置に少なくとも：
付属デバイスを用いてサービスが提供されるようにすることであって、前記付属デバイスは無線接続を通じて前記装置に接続され、前記サービスはサーバを用いて可能にされ、複数のユーザデバイスはユーザアカウントに登録されている、前記提供されるようにすることと；前記サーバに状態情報を提供することであって、前記状態情報は、前記サービス用ユーザアカウントに登録された別のユーザデバイスが、前記付属デバイスとの無線接続を確立できるようにする、前記提供することを実行させるように構成される、装置が提供されうる。
【００３４】
実施例によっては、前記別のユーザデバイスとの無線接続が確立された後、前記別のユーザデバイス及び前記付属デバイスを用いて前記サービスが提供されてもよい。
【００３５】
実施例によっては、状態情報は、付属デバイスがユーザデバイスによって識別されるようにする情報を含んでもよい。
【００３６】
実施例によっては、前記状態情報は、前記装置及び前記付属デバイスによって現在提供中のサービスに関する情報を含んでもよい。
【００３７】
本開示の様々な、しかし必ずしも全てではない実施例によれば、付属デバイスを用いてサービスが提供されるようにすることであって、前記付属デバイスは無線接続を通じて前記装置に接続され、前記サービスはサーバを用いて可能にされ、複数のユーザデバイスはユーザアカウントに登録されている、前記提供されるようにすることと；前記サーバに状態情報を提供することであって、前記状態情報は、前記サービス用ユーザアカウントに登録された別のユーザデバイスが、前記付属デバイスとの無線接続を確立できるようにする、前記提供することを含む、方法が提供されうる。
【００３８】
実施例によっては、前記別のユーザデバイスとの無線接続が確立された後、前記別のユーザデバイス及び前記付属デバイスを用いて前記サービスが提供されてもよい。
【００３９】
実施例によっては、状態情報は、付属デバイスがユーザデバイスによって識別されるようにする情報を含んでもよい。
【００４０】
実施例によっては、前記状態情報は、前記装置及び前記付属デバイスによって現在提供中のサービスに関する情報を含んでもよい。
【００４１】
本開示の様々な、しかし必ずしも全てではない実施例によれば、コンピュータプログラム命令を含むコンピュータプログラムであって、前記コンピュータプログラム命令は、処理回路で実行されると：付属デバイスを用いてサービスが提供されるようにすることであって、前記付属デバイスは無線接続を通じて前記装置に接続され、前記サービスはサーバを用いて可能にされ、複数のユーザデバイスはユーザアカウントに登録されている、前記提供されるようにすることと；前記サーバに状態情報を提供することであって、前記状態情報は、前記サービス用ユーザアカウントに登録された別のユーザデバイスが、前記付属デバイスとの無線接続を確立できるようにする、前記提供することを可能にする、コンピュータプログラムが提供されうる。
【００４２】
本開示の様々な、しかし必ずしも全てではない実施例によれば、前述の方法をコンピュータに実行させるプログラム命令を含むコンピュータプログラムが提供されてもよい。
【００４３】
本開示の様々な、しかし必ずしも全てではない実施例によれば、請求項に記載のコンピュータプログラムを具現化する物理的実体が提供されてもよい。
【００４４】
本開示の様々な、しかし必ずしも全てではない実施例によれば、請求項に記載のコンピュータプログラムを搬送する電磁的伝搬信号が提供されてもよい。
【００４５】
本開示の様々な、しかし必ずしも全てではない実施例によれば、処理回路と；コンピュータプログラムコードを含むメモリ回路を備える装置であって、メモリ回路及びコンピュータプログラムコードは、処理回路を用いて装置に少なくとも：サーバとの通信を可能にすることであって、サーバは、第１のユーザデバイス及び付属デバイスを用いてサービスが提供されるように構成され、付属デバイスは無線接続を通じて第１のユーザデバイスに接続され、複数のユーザデバイスが前記サービス用ユーザアカウントに登録されている、前記提供されるようにすることと；サーバから状態情報を取得することと；トリガイベントが発生したと決定し、トリガイベントが発生したことの決定に応じて、付属デバイスとの接続を確立することを実行させるように構成される、装置が提供されうる。
【００４６】
実施例によっては、前記取得された状態情報は、前記無線通信が確立されるように使用される情報を含んでもよい。
【００４７】
実施例によっては、前記装置との無線接続が確立された後、前記装置及び前記付属デバイスを用いて前記サービスが提供されてもよい。
【００４８】
実施例によっては、状態情報は、付属デバイスがユーザデバイスによって識別されるようにする情報を含んでもよい。
【００４９】
実施例によっては、前記状態情報は、前記装置及び前記付属デバイスによって現在提供中のサービスに関する情報を含んでもよい。
【００５０】
本開示の様々な、しかし必ずしも全てではない実施例によれば、サーバとの通信を可能にすることであって、サーバは、第１のユーザデバイス及び付属デバイスを用いてサービスが提供されるように構成され、付属デバイスは無線接続を通じて第１のユーザデバイスに接続され、複数のユーザデバイスが前記サービス用ユーザアカウントに登録されている、前記提供されるようにすることと；サーバから状態情報を取得することと；トリガイベントが発生したと決定し、トリガイベントが発生したことの決定に応じて、付属デバイスとの接続を確立することを含む、方法が提供されうる。
【００５１】
実施例によっては、前記取得された状態情報は、前記無線通信が確立されるように使用される情報を含んでもよい。
【００５２】
実施例によっては、前記装置との無線接続が確立された後、前記装置及び前記付属デバイスを用いて前記サービスが提供されてもよい。
【００５３】
実施例によっては、状態情報は、付属デバイスがユーザデバイスによって識別されるようにする情報を含んでもよい。
【００５４】
実施例によっては、前記状態情報は、前記装置及び前記付属デバイスによって現在提供中のサービスに関する情報を含んでもよい。
【００５５】
本開示の様々な、しかし必ずしも全てではない実施例によれば、コンピュータプログラム命令を含むコンピュータプログラムであって、前記コンピュータプログラム命令は、処理回路で実行されると：サーバとの通信を可能にすることであって、サーバは、第１のユーザデバイス及び付属デバイスを用いてサービスが提供されるように構成され、付属デバイスは無線接続を通じて第１のユーザデバイスに接続され、複数のユーザデバイスが前記サービス用ユーザアカウントに登録されている、前記提供されるようにすることと；サーバから状態情報を取得することと；トリガイベントが発生したと決定し、トリガイベントが発生したことの決定に応じて、付属デバイスとの接続を確立することを可能にする、コンピュータプログラムが提供されうる。
【００５６】
本開示の様々な、しかし必ずしも全てではない実施例によれば、前述の方法をコンピュータに実行させるプログラム命令を含むコンピュータプログラムが提供されてもよい。
【００５７】
本開示の様々な、しかし必ずしも全てではない実施例によれば、前述のようなコンピュータプログラムを具現化する物理的実体が提供されてもよい。
【００５８】
本開示の様々な、しかし必ずしも全てではない実施例によれば、前述のようなコンピュータプログラムを搬送する電磁的伝搬信号が提供されてもよい。
【００５９】
本開示の様々な、しかし必ずしも全てではない実施例によれば、請求項に記載の実施例が提供されてもよい。
【図面の簡単な説明】
【００６０】
前述の簡単な説明を理解するために有用な種々の実施例の理解に資するべく、例として次の添付図面を参照する。
【図１】システムを示す。
【図２】装置を示す。
【図３】サーバを示す。
【図４】ユーザデバイスを示す。
【図５】付属デバイスを示す。
【図６】図６Ａ−図６Ｃは方法を示す。
【図７】方法を示す。
【図８】方法を示す。
【図９】方法を示す。
【詳細説明】
【００６１】
添付図面は、第１及び第２のユーザデバイスを用いてサービスが提供される際、付属デバイスの接続を第１のユーザデバイスから第２のユーザデバイスに切り換えられるようにするために用いられるシステム、装置、方法を示している。
【００６２】
添付図面は装置２１を示している。装置２１は：処理回路２５と；コンピュータプログラムコード３１を含むメモリ回路２７を備え、メモリ回路２７及びコンピュータプログラムコード３１は、処理回路２５を用いて装置２１に少なくとも：第１のユーザデバイス５及び付属デバイス１５を用いてサービスが提供されるようにすることであって、付属デバイス１５は無線接続１７を通じて第１のユーザデバイス５に接続され、複数のユーザデバイス５，７がユーザアカウント３５に登録されている、前記提供されるようにすることと；第１のユーザデバイス５から状態情報を取得することと；トリガイベントが発生したと決定し、トリガイベントが発生したことの決定に応じて、第２のユーザデバイス７が付属デバイス１５との接続を確立できるようにすることであって、第２のユーザデバイス７はユーザアカウント３５に登録されている、前記確立できるようにすることを実行させるように構成される。
【００６３】
図面の例示的装置及びシステムは、サービス提供を中断せずに、付属デバイス１５の第１のユーザデバイス５から第２のユーザデバイス７への受け渡しを可能にする。これにより、サービスのユーザが気付くことなくデバイス間でシームレスなハンドオーバが可能となる。
【００６４】
図１は、本開示の実施例を実装するために用いられる例示的システムを示す。
【００６５】
図１の実施例において、システム１には、サーバ３、２台のユーザデバイス５，７、付属デバイス１５が含まれる。こうしたサーバ３、デバイス５，７，１５の実施例は図２から５に示され、以降で詳述される。当然ながら他の実施例では、システム１がこれとは異なる数のデバイスを含んだり、異なるデバイス構成を有したり、あるいはその両方であったりすることもある。例として、図１のシステム１では１台のサーバ３のみが描かれているが、サーバ３の機能が複数の相異なるサーバに分配されてもよい。同様に、図１には２台のユーザデバイス５，７が描かれ散るが、他の実装ではシステム１が任意数の相異なるユーザデバイス５，７を含むことも可能である。
【００６６】
サーバ３は、ユーザデバイス５，７と付属デバイス１５から離れた位置にあってもよい。サーバ３及びユーザデバイス５，７は、通信ネットワーク９を通じて通信するように構成されてもよい。通信ネットワーク９には、インターネット等のあらゆる適切な通信ネットワークが含まれうる。
【００６７】
サーバ３は、サーバ３と通信ネットワーク９の間に通信リンク１１を確立できるように構成されてもよい。通信リンク１１には、サーバ３と通信ネットワーク９の間で情報交換を可能にする任意の手段が含まれうる。通信リンク１１には、有線又は無線の通信リンクが含まれうる。
【００６８】
ユーザデバイス５，７には、ユーザに関連しうるようなあらゆるデバイスが含まれうる。サービスプロバイダによって、ユーザデバイス５，７がユーザに対して登録される。ユーザデバイス５，７は、サーバ３を用いてサービスを提供できるようにするために使用されてもよい。図１の例示的システムにおいて、ユーザデバイス５，７には、携帯電話とタブレットコンピュータが含まれる。当然ながら実装により、他のユーザデバイス５，７が使用されてもよい。
【００６９】
ユーザデバイス５，７は、ユーザデバイス５，７と通信ネットワーク９の間で通信リンク１３を確立できるように構成されてもよい。ユーザデバイス５，７と通信ネットワーク９との間の１つ又は複数の通信リンク１３には、無線通信リンクが含まれうる。無線通信リンクには、セルラー通信リンク、ローカルエリア通信リンク、ＷｉＦｉ通信リンク、その他適切な通信リンクがありうる。無線通信リンクは、ユーザデバイス５，７のユーザが通信ネットワーク９との接続を維持しながら居場所を変えられるようにすることができる。
【００７０】
通信リンク１３には、ユーザデバイス５，７と通信ネットワーク９の間で情報交換を可能にする任意の手段が含まれうる。サーバ３も通信ネットワーク９に接続されているため、サーバ３とユーザデバイス５，７の間での情報交換も可能である。これにより、サービスに関連する情報とコンテンツがサーバ３に保存されるようになり、それらをユーザデバイス５，７が利用できるようになる。サーバ３は、１つ又は複数のサービスに対するユーザアカウントを保持するように構成されてもよい。１つのユーザアカウントに複数のユーザデバイス５，７が登録されてもよい。これにより、同一サービスにアクセスするために別々のユーザデバイス５，７を利用できるようになる。本開示の実施例により、サーバ３は、第１のユーザデバイス５を用いたサービス提供と第２のユーザデバイス７を用いたサービス提供の切換制御が可能となる。具体的には、本開示の実施例により、サーバ３は、第１のユーザデバイス５を用いたサービス提供と第２のユーザデバイス７を用いたサービス提供の切換制御であって、ユーザへの出力に付属デバイス１５が使用される、前記切換制御が可能となる。
【００７１】
当然ながら、ユーザデバイス５，７が複数のユーザアカウント３５に登録されてもよい。これにより、本開示の実施例は、同一のデバイス５，７を用いて、ユーザの自宅や仕事場など別々の場所に実装可能となる。
【００７２】
図１の例示的システムは、少なくとも１つの付属デバイス１５も含む。付属デバイス１５には、出力を行なう手段を備える任意のデバイスが含まれ、この出力は特定のサービスがユーザに提供されるように利用可能である。図１の実施例では、付属デバイス１５にヘッドセットが含まれる。当然ながら本開示の実施例によっては、他の付属デバイス１５が使用されてもよい。
【００７３】
図１の実施例において、通信リンク１７は、第１のユーザデバイス５と付属デバイス１５の間で確立される。通信リンク１７には、無線接続が含まれうる。通信リンク１７には、ブルートゥース（登録商標）通信リンク等の近距離無線通信リンクや他のあらゆる適切な接続が含まれうる。通信リンク１７により、第１のユーザデバイス５に提供されるサービスに関連する出力が、付属デバイス１５を介してユーザに提供されるようになる。例えば、提供中のサービスが音楽提供サービスである場合、第１のユーザデバイス５は、サーバ３に保存された音楽コンテンツにアクセスし、付属デバイス１５に制御信号を出すように構成されてもよい。それによって、付属デバイス１５はユーザに音響信号を出すようになる。
【００７４】
図１の実施例において、通信リンク１７は、付属デバイス１５と第１のユーザデバイス１５の間で確立される。状況によっては、付属デバイス１５が別のユーザデバイス７と共に使用されるように、付属デバイス１５が別のユーザデバイス７へ通信リンクを切り換えられることが望まれる可能性もある。以下の実施例は、そうした切換えを実装するのに用いられる方法と装置を記載している。
【００７５】
図２は、本開示の実施例を実装するために用いられる例示的装置２１を概略的に示している。図２に示された装置２１は、チップまたはチップセットの場合がある。例示的装置２１は、サーバ３やユーザデバイス５，７、付属デバイス１５等のデバイス内に提供されてもよく、あるいは任意のタイプのデバイスに提供されてもよい。
【００７６】
例示的装置２１は、制御回路２３を備える。制御回路２３は、１つ又は複数のコントローラを備えてもよい。制御回路２３は、ハードウェア機能を実現する命令であって、例えば、汎用プロセッサまたは特定用途向け処理回路２５で実行可能なコンピュータプログラム命令を用いて実装されてもよい。こうした命令は、前述の処理回路２５で実行されるように、コンピュータ可読記憶媒体（ディスクやメモリ、メモリ回路２７等）に保存されてもよい。
【００７７】
処理回路２５は、メモリ回路２７に対して読み書きするように構成されてもよい。処理回路２５は、１つ又は複数のプロセッサを備えてもよい。処理回路２５は出力インタフェースと入力インタフェースを備えてもよい。データ、命令の何れか又は両方は、処理回路２５によって出力インタフェースを介して出力され、入力インタフェースを介して処理回路２５に入力される。
【００７８】
メモリ回路２７は、コンピュータプログラム命令（コンピュータプログラムコード３１）であって、処理回路２５にロードされるときに装置２１の動作を制御する命令を含むコンピュータプログラム２９を保存するように構成されてもよい。コンピュータプログラム２９のコンピュータプログラム命令は、装置２１が図６Ａから９に示された例示的方法を実行できるようにするロジックとルーチンとを提供する。処理装置２５は、メモリ回路２７を読み取ることによりコンピュータプログラム２９をロードして実行することが可能である。
【００７９】
こうして、装置２１は：処理回路２５と；コンピュータプログラムコード３１を含むメモリ回路２７を備え、メモリ回路２７及びコンピュータプログラムコード３１は、処理回路２５を用いて装置２１に少なくとも：第１のユーザデバイス５及び付属デバイス１５を用いてサービスが提供されるようにすることであって、付属デバイス１５は無線接続１７を通じて第１のユーザデバイス５に接続され、複数のユーザデバイス５，７がユーザアカウント３５に登録されている、前記提供されるようにすることと；第１のユーザデバイス５から状態情報を取得することと；トリガイベントが発生したと決定することと；トリガイベントが発生したことの決定に応じて、第２のユーザデバイス７が付属デバイス１５との接続を確立できるようにすることであって、第２のユーザデバイス７はユーザアカウント３５に登録されている、前記確立できるようにすることを実行させるように構成される。こうした装置２１はサーバ３内に実装されてもよい。
【００８０】
あるいは、装置２１は：処理回路２５と；コンピュータプログラムコード３１を含むメモリ回路２７を備え、メモリ回路２７及びコンピュータプログラムコード３１は、処理回路２５を用いて装置２１に少なくとも：付属デバイス１５を用いてサービスが提供されるようにすることであって、付属デバイス１５は無線接続１７を通じて装置に接続され、サービスはサーバ３を用いて可能にされ、複数のユーザデバイス５，７がそのサービス用のユーザアカウント３５に登録されている、前記提供されるようにすることと；第１のユーザデバイス５から状態情報を取得することと；状態情報をサーバ３に提供することであって、状態情報は、そのサービス用のユーザアカウント３５に登録された別のユーザデバイス７が、付属デバイス１５との無線接続を確立できるようにする、前記提供することを実行させるように構成されてもよい。こうした装置２１は、付属デバイス１５をハンドオーバしているユーザデバイス５に実装されてもよい。
【００８１】
またあるいは、装置２１は：処理回路２５と；コンピュータプログラムコード３１を含むメモリ回路２７を備え、メモリ回路２７及びコンピュータプログラムコード３１は、処理回路２５を用いて装置２１に少なくとも：サーバ３との通信を可能にすることであって、サーバ３は、第１のユーザデバイス５及び付属デバイス１５を用いてサービスが提供されるように構成され、付属デバイス１５は無線接続１７を通じて第１のユーザデバイス５に接続され、複数のユーザデバイス５，７は、そのサービス用のユーザアカウント３５に登録されている、前記可能にすることと；サーバ３から状態情報を取得することと；トリガイベントが発生したと決定することと；トリガイベントが発生したことの決定に応じて、付属デバイス１５との無線接続を確立することを実行させるように構成されてもよい。こうした装置２１は、付属デバイス１５をテークオーバしているユーザデバイス７に実装されてもよい。
【００８２】
コンピュータプログラム２９は任意適当な配信機構を介して装置２１に提供されてもよい。配信機構は、例えば、非一時的なコンピュータ読取り可能記憶媒体、コンピュータプログラム製品、メモリデバイス、記録媒体、例えば、コンパクトディスク・リードオンリーメモリ（ＣＤ−ＲＯＭ：compact disc read-only memory）またはデジタル多用途ディスク（ＤＶＤ：digital versatile disc）、コンピュータプログラム２９を有形に具現した製造品であってもよい。配信機構はコンピュータプログラム２９を確実に伝達するように構成される信号でもよい。装置２１は、コンピュータデータ信号としてコンピュータプログラム２９を伝達または伝送してもよい。
【００８３】
メモリ回路２７は、添付図面では単独要素として示されているが、１つ又は複数の別々の要素として実装されてもよい。こうした要素の一部または全部は組込み型／着脱可能型でもよく、及び／又は永久／半永久／動的／キャッシュの記憶方式でもよい。
【００８４】
処理回路２５は、添付図面では単独要素として示されているが、１つ又は複数の別々の要素として実装されてもよい。こうした要素の一部または全部は組込み型／着脱可能型でもよい。
【００８５】
「コンピュータ可読記憶媒体」や「コンピュータプログラム製品」，「有形物として具現化されたコンピュータプログラム」等の用語や、「コントローラ」，「コンピュータ」，「プロセッサ」，「処理回路」等の用語は、様々なアーキテクチャを有するコンピュータだけでなく、特殊回路も網羅するものと理解すべきである。こうしたコンピュータのアーキテクチャにはシングル／マルチプロセッサ・アーキテクチャや直列（ノイマン型）／並列アーキテクチャ等がある。特殊回路にはフィールドプログラマブルゲートアレイ（FPGA）や特定用途向け集積回路（ASIC），シグナルプロセッシングデバイス，その他の処理回路等がある。コンピュータプログラムや命令，コード等の用語は、プログラマブルプロセッサやファームウェア用のソフトウェアも網羅するものと理解すべきである。こうしたものとして例えば、プロセッサに対する命令や、固定機能デバイス，ゲートアレイ，プログラマブルロジックデバイス等の構成設定といったハードウェアデバイスのプログラマブルコンテンツ等がある。
【００８６】
なお本願において使用される「回路（circuitry）」との語句は、次の全てを表す：
【００８７】
（a）ハードウェアのみの回路実装（アナログ及び／又はデジタル回路のみの実装等）；
【００８８】
（b）回路とソフトウェア（及び／又はファームウェア）の組合せ、例えば（適用可能である場合）：（i）一つまたは複数のプロセッサ、または（ii）一つまたは複数のプロセッサ／ソフトウェア（デジタルシグナルプロセッサを含む），ソフトウェア，一つまたは複数のメモリの一部（これらは協働して、携帯電話やサーバなどの装置に様々な機能を実行させる）；
【００８９】
（c）一つまたは複数のマイクロプロセッサやその一部等の回路であって、動作するためにソフトウェアやファームウェアを必要とする回路（ソフトウェアやファームウェアは物理的に存在しなくてもよい）。
【００９０】
この「回路」の定義は、本願において当該用語を使う全ての場合において適用される。特許請求の範囲においても同様である。さらなる例として、本願で使用される場合、「回路（circuitry）」という用語は、単独（または複数）のプロセッサだけの実装やプロセッサの一部，付随するソフトウェア及び／又はファームウェアによる実装も網羅するものである。「回路」という用語はまた、例えば、特許請求の範囲に記載される特定の要素をその範囲に含むことが可能な場合がある。例えば、携帯電話のベースバンド集積回路やアプリケーション処理集積回路を意味してもよく、サーバやセルラネットワークデバイス、その他のネットワークデバイスにおける同様の集積回路を意味してもよい。
【００９１】
図３は、本開示の実施例を実装するために用いられる例示的サーバ３を概略的に示している。サーバ３は装置２１と送受信機３３を備えてもよい。当然ながら、図３には以下の記載に関する必要最小限の機能要素のみが示されており、実施例によっては、他の機能要素が用いられてもよいのは明らかである。図３の実施例では、サーバ３は単独エンティティとして示されている。当然ながら実施例によっては、サーバ３が複数のエンティティとして提供されてもよい。
【００９２】
サーバ３は、複数のユーザデバイス５，７を介してユーザにサービスが提供されるようにする任意の手段を備えてもよい。サービスがコンテンツ・レンダリング・サービスの可能性もある。例として、サービスは、ユーザがユーザデバイス５，７を用いて音楽又は音声コンテンツのダウンロード、保存、視聴が可能となる音楽／音声サービスという場合もある。実施例によっては、サービスは、ユーザが別のユーザデバイス５，７を用いてビデオ、テレビ、ゲームの何れかのコンテンツにアクセス可能となるメディアサービスでもよく、他の適切なサービスでもよい。
【００９３】
図３のサーバ３内に具備される装置２１は、図２に示された前述の装置でもよい。同一の機能要素には同一の参照番号が使用されている。
【００９４】
前述の通り、装置２１は制御回路２３を備える。制御回路２３は、メモリ回路２７と処理回路２５を備える。メモリ回路２７は、コンピュータプログラムコード３１を含むコンピュータプログラム２９を保存するように構成されてもよい。
【００９５】
メモリ回路２７は、サービス情報３７を保存するように構成されてもよい。サービス情報３７には、複数のユーザデバイス５，７を用いて同じサービスを提供可能にする任意の情報が含まれうる。サーバ３は、複数のユーザデバイス５，７に同じサービスを提供するように構成されてもよい。例として、サービス情報３７は、別のユーザデバイス５，７によるコンテンツの同期又は使用の何れか又は両方を可能にするために、１つ又は複数のサーバ３に保存可能なコンテンツを含んでもよい。
【００９６】
サービス情報３７には、１つ又は複数のユーザアカウント３５も含まれうる。１つのユーザアカウント３５に複数のユーザデバイス５，７が登録されてもよい。ユーザアカウント３５は、そのユーザアカウント３５に登録されている各ユーザデバイス５，７にサービスを提供できるようにしてもよい。ユーザアカウント３５は、ユーザデバイス５，７に関する識別情報を含んでもよい。実施例によっては、ユーザアカウント３５が１つ又は複数の付属デバイス１５に関する情報を含んでもよい。識別情報は、ユーザデバイス５，７と１つ又は複数の付属デバイス１５の間に無線接続を確立するために使用可能な情報を含んでもよい。こうした情報には、例えばブルートゥース（登録商標）アドレスや共有秘密鍵（リンクキー）情報、ペアリング状態情報、その他適切な種類の情報が含まれうる。
【００９７】
実施例によっては、デバイス５，７，１５の機能に関する情報がユーザアカウント３５に保存されてもよい。こうした情報には、ディスプレイの大きさや解像度、音声出力デバイスのラウドスピーカの型や品質といった情報が含まれうる。
【００９８】
図３では送受信機３３が単一部品として示されているが、当然ながら、送受信機３３が１つ又は複数の送信機や受信機又は両方を備えてもよい。送受信機３３は、サーバ３が通信ネットワーク９との通信リンク１１を確立し、通信ネットワーク９との情報交換を可能にする任意の手段を備えてもよい。通信リンク１１には、無線接続が含まれうる。
【００９９】
送受信機３３は、送受信機３３を通じて取得された情報を制御回路２３に提供するように構成されてもよい。送受信機３３は、サービス情報３７など制御回路２３からの情報を、送受信機３３を通じて送信できるように構成されてもよい。
【０１００】
図４は、本開示の実施例を実装するために用いられる例示的ユーザデバイス５，７を概略的に示している。ユーザデバイス５，７は装置２１と送受信機３３を備えてもよい。当然ながら、図４には以下の記載に関する必要最小限の機能要素のみが示されており、実施例によっては、他の機能要素が含まれてもよいのは明らかである。例として、ユーザデバイスが携帯電話又はタブレットコンピュータである実施例では、ユーザデバイス５，７は、ディスプレイ、カメラ、ラウドスピーカ、マイクロフォンのような機能要素、及び他の機能要素を備えてもよい。
【０１０１】
ユーザデバイス５，７は、付属デバイス１５を介してユーザにサービスを提供するように構成される任意の手段を備えてもよい。ユーザデバイス５，７は、通信ネットワーク９とサーバ３を通じてサービスにアクセスするように構成されてもよい。こうしたサービスは、音楽／メディアサービス等のコンテンツ・レンダリング・サービスや他の適切なサービスの場合がある。
【０１０２】
ユーザデバイス５，７は、セルラー携帯電話やタブレットコンピュータ、パーソナルコンピュータ、カメラ、ゲーム機器、携帯情報端末、電子書籍リーダ、パーソナル音楽プレーヤ、テレビ受像機、非セルラーデバイス、その他適切な電子デバイスの場合がある。ユーザデバイス５，７は、ユーザが手で持ったりバッグに入れて持ち運びできたりするハンドヘルドユーザデバイス５，７でもよい。ユーザデバイス５，７は、ユーザが使用中に手で持つことができるような大きさと形状を有するハンドヘルドデバイスでもよい。ユーザデバイス５，７は、ユーザが使用中に居場所を変えることができるような携帯デバイスでもよい。
【０１０３】
図４のユーザデバイス５，７内に具備される装置２１は、図２に示された前述の装置でもよい。同一の機能要素には同一の参照番号が使用されている。
【０１０４】
前述の通り、装置２１は制御回路２３を備える。制御回路２３は、メモリ回路２７と処理回路２５を備える。メモリ回路２７は、コンピュータプログラムコード３１を含むコンピュータプログラム２９を保存するように構成されてもよい。
【０１０５】
メモリ回路２７は、サービス情報４１を保存するように構成されてもよい。サービス情報４１には、ユーザデバイス５，７がサービスを提供できるようにする任意の情報が含まれうる。例として、サービス情報４１は、ユーザデバイス５，７のメモリ回路２７に保存可能なコンテンツを含んでもよい。実施例によっては、サービス情報４１がサーバ３等のリモート装置から取得されてもよい。
【０１０６】
ユーザデバイス５，７は、サービスにアクセスするためにユーザデバイス５，７を使用可能にするユーザアカウント３５に登録されてもよい。こうした実施例において、サービス情報は、ユーザデバイスがユーザアカウント３５にアクセスできるようにする情報を含んでもよい。
【０１０７】
サービス情報４１には状態情報４３が含まれうる。状態情報４３は、ユーザデバイス５，７が現在提供中のサービスに関する情報を含んでもよい。例として、提供中のサービスが音楽サービスである場合、状態情報は、現在再生中の音楽トラックとそのトラック内での位置に関する情報を含んでもよい。
【０１０８】
実施例によっては、状態情報４３は、付属デバイス１５がユーザデバイス５，７に接続されているか否かを示す情報を含んでもよい。状態情報４３は、付属デバイス１５が無線接続１７を介して接続されているか否かを含んでもよい。実施例によっては、状態情報が、ユーザデバイス５，７に接続されている付属デバイス１５の識別情報を含んでもよい。実施例によっては、状態情報４３が、ユーザデバイス５，７と付属デバイス１５の間の無線接続１７に関する１つ又は複数の性能インジケータを含んでもよい。
【０１０９】
図４では送受信機３３が単一部品として示されているが、当然ながら、送受信機３３が１つ又は複数の送信機や受信機又は両方を備えてもよい。送受信機３３は、ユーザデバイス５，７が通信ネットワーク９との通信リンク１３を確立し、通信ネットワーク９との情報交換を可能にする任意の手段を備えてもよい。通信リンク１３には、無線接続が含まれうる。
【０１１０】
実施例によっては、送受信機３３は、ユーザデバイス５，７が１つ又は複数の付属デバイス１５との無線接続１７を確立できるようにしてもよい。無線接続１７には、ブルートゥース（登録商標）やBluetooth（登録商標）Low Energyのような近距離無線通信、その他適切な種類の無線接続が含まれうる。
【０１１１】
送受信機３３は、送受信機３３を通じて取得された情報を制御回路２３に提供するように構成されてもよい。送受信機３３は、サービス情報４１など制御回路２３からの情報を、送受信機２３を通じて送信できるように構成されてもよい。
【０１１２】
図５は、本開示の実施例を実装するために用いられる例示的付属デバイス１５を概略的に示している。付属デバイス１５は装置２１、送受信機５１、ユーザインタフェース５１を備えてもよい。当然ながら、図５には以下の記載に関する必要最小限の機能要素のみが示されており、実施例によっては、他の機能要素が用いられてもよいのは明らかである。
【０１１３】
付属デバイス１５は、ユーザへのサービス提供が可能となるよう、ユーザデバイス５，７と一緒に使用されてもよい。実施例によっては、付属デバイス１５は、ヘッドセットやラウドスピーカ、ヘッドマウント型ディスプレイ、イヤホン、テレビ受像機、ステレオシステム、腕時計、マウス、キーボードでもよく、その他適切な付属デバイス１５でもよい。
【０１１４】
実施例によっては、付属デバイス１５はユーザが装着可能なものでもよく、こうした付属デバイス１５は例えば、付属デバイス１５をユーザに装着できるようにする装着部を具備していてもよい。例えば、ヘッドマウント型ディスプレイは、ディスプレイを眼鏡のように掛けて装着できるようにするイヤーピースを具備していてもよい。実施例によっては、付属デバイス１５が、テレビ受像機やラウドスピーカのような、使用中での移動が想定されていない大型デバイスを含む場合もある。
【０１１５】
図５の付属デバイス１５内に具備される装置２１は、図２に示された前述の装置でもよい。同一の機能要素には同一の参照番号が使用されている。
【０１１６】
前述の通り、装置２１は制御回路２３を備える。制御回路２３は、メモリ回路２７と処理回路２５を備える。メモリ回路２７は、コンピュータプログラムコード３１を含むコンピュータプログラム２９を保存するように構成されてもよい。
【０１１７】
メモリ回路２７は、識別情報５３を保存するように構成されてもよい。識別情報５３は、付属デバイス１５と１つ又は複数のユーザデバイス５，７の間に無線接続を確立するために使用されてもよい。識別情報５３は、ユーザデバイス５，７が付属デバイス１５を他のデバイスから識別できるように、１つ又は複数のユーザデバイス５，７に提供されてもよい。識別情報５３には、ブルートゥース（登録商標）アドレスやリンクキー情報、ペアリング状態情報、その他適切な種類の情報が含まれうる。
【０１１８】
図５では送受信機３３が単一部品として示されているが、当然ながら、送受信機３３が１つ又は複数の送信機や受信機又は両方を備えてもよい。送受信機３３は、付属デバイス１５が１つ又は複数のユーザデバイス５，７との無線接続１７を確立できるようにする任意の手段を備えてもよい。無線接続１７には、ブルートゥース（登録商標）やBluetooth（登録商標）Low Energyのような近距離無線通信、その他適切な種類の無線接続が含まれうる。
【０１１９】
送受信機３３は、送受信機３３を通じて取得された情報を制御回路２３に提供するように構成されてもよい。送受信機３３は、識別情報５３など制御回路２３からの情報を、送受信機３３を通じて送信できるように構成されてもよい。
【０１２０】
付属デバイス１５はユーザインタフェース５１も備える。ユーザインタフェース５１は、ユーザに出力したり、ユーザがユーザ入力を行えたり、あるいはその両方を可能にする任意の手段を備えてもよい。
【０１２１】
例えば、ユーザインタフェース５１はラウドスピーカのような出力デバイスを備えてもよい。ラウドスピーカは、音響信号を提供するように構成される任意の手段を備えてもよい。ラウドスピーカは、ヘッドセットやイヤーピース、又はユーザが身に付けたり、ユーザの耳の側に付けたりすることができる他のデバイスとして提供されてもよい。実施例によっては、ラウドスピーカに、例えばステレオシステムの一部となりうる大型スピーカが含まれる場合もある。
【０１２２】
実施例によっては、ユーザインタフェース５１がディスプレイのような出力デバイスを含む場合もある。ディスプレイには、コンテンツや情報を表示できるようにする任意の手段が含まれてもよく、ヘッドマウント型ディスプレイや腕時計の一部、又はユーザが装着するように意図された他のデバイスの場合もある。他の実施例では、ディスプレイにテレビ受像機又は他のデバイスの一部が含まれることもある。
【０１２３】
実施例によっては、ユーザインタフェース５１がユーザ入力デバイスを含む場合もある。ユーザ入力デバイスには、ユーザが命令を入力して付属デバイス１５やユーザデバイス５，７を制御できるようにする任意の手段が含まれてもよく、例えばマウスやキーボード、その他適切な手段が含まれてもよい。
【０１２４】
図６Ａ及び６Ｂは、本開示の実施例に従う方法を示している。本方法は、前述したシステム１と装置２１を用いて実装することができる。
【０１２５】
図６Ａは、第１のユーザデバイス５によって実行可能な方法を示す。ブロック５５で、第１のユーザデバイス５と付属デバイス１５の間に無線接続１７が確立される。無線接続１７は近距離無線接続でもよい。実施例のように、ユーザは、音楽を聴くためにユーザデバイス５とヘッドセットである付属デバイス１５を使用してもよい。ユーザデバイス５は、サービスに関連するユーザアカウント３５に登録されてもよい。
【０１２６】
ブロック５６で、トリガイベントが検出されたか否かが決定される。トリガイベントは、新たに別のユーザデバイス７との無線接続を確立させるようにする任意のイベントでもよい。トリガイベントは、ユーザデバイス５及びユーザデバイス５のユーザの何れか又は両方の状態変化を含んでもよい。
【０１２７】
実施例によっては、トリガイベントに、ユーザデバイス５と付属デバイス１５の間の無線接続１７の変化が含まれてもよい。こうした実施例では、第１のユーザデバイス５と付属デバイス１５の間の無線接続１７の性能水準が監視されてもよい。この性能水準が所定の閾値よりも下がると、ブロック５６でこれが新しいトリガイベントとなりうる。
【０１２８】
実施例によっては、トリガイベントは、ユーザデバイス５のユーザが別のユーザデバイス７に近づいたり、別のユーザデバイス７を使い始めたり、あるいはその両方だったりすることでもよい。例として、ユーザは、タブレットなど別のユーザデバイス７を手に取ったり、電源を入れたりしてもよい。
【０１２９】
当然ながら本開示の他の実施例によっては、他のトリガイベントが使用されてもよい。例として、付属デバイス１５が別のユーザデバイス７を検出し、その別のユーザデバイス７に通知を行なうこともできる。
【０１３０】
トリガイベントが何も検出されない場合、本方法は、ブロック５５に戻り、第１のユーザデバイス５を用いてサービス提供が継続される。トリガイベントが検出される場合、本方法はブロック５７に進む。
【０１３１】
ブロック５７で、ユーザデバイス５はサーバ３に状態情報４３を提供する。状態情報４３は、第２のユーザデバイス７が付属デバイス１５との無線接続を確立できるようにする情報を含んでもよい。
【０１３２】
状態情報４３は、ユーザへのサービス提供を中断せずに第２のユーザデバイス７が付属デバイス１５との無線接続を確立できるようにする情報を含んでもよい。状態情報４３は、付属デバイス１５の高速ハンドオーバを可能にする情報を含んでもよい。
【０１３３】
状態情報４３は、現在提供中のサービスに関する情報を含んでもよい。例えば、状態情報４３は、現在提供中の音楽トラックや、ウェブアドレスなど現在の音楽トラックのソースに関連する情報を含んでもよい。
【０１３４】
実施例によっては、状態情報４３は、ユーザデバイスの現在の状態であって、例えばディスプレイが現在アクティブか否かに関する情報を含んでもよい。
【０１３５】
実施例によっては、状態情報４３は、現在第２のユーザデバイスに接続されている付属デバイス１５に関する情報を含んでもよい。こうした情報は、付属デバイスが他のユーザデバイス７によって識別されるようにする情報を含んでもよい。
【０１３６】
図６Ｂは、第２のユーザデバイス７によって実行可能な方法を示す。ブロック５８で、サーバ３との接続が確立される。ユーザデバイス７は、第１のユーザデバイス５と同じユーザアカウント３５に登録されてもよい。
【０１３７】
ブロック５９で、トリガイベントが検出されたか否かが決定される。トリガイベントは、新たに別のユーザデバイス７との無線接続を確立させるようにする任意のイベントでもよい。トリガイベントは、ユーザデバイス５，７及びユーザデバイスのユーザの何れか又は両方の状態変化を含んでもよい。トリガイベントは、図６Ａに関連して前述したものでもよい。
【０１３８】
トリガイベントが何も検出されない場合、本方法は、ブロック５８に戻り、サーバ３への接続とユーザアカウント３５が維持される。トリガイベントが検出される場合、本方法はブロック６０に進む。
【０１３９】
ブロック６０で、ユーザデバイス７はサーバ３から状態情報４３を取得する。状態情報４３は、第２のユーザデバイス７が付属デバイス１５との無線接続を確立できるようにする情報を含んでもよい。状態情報４３は、ユーザへのサービス提供を中断せずに第２のユーザデバイス７が付属デバイス１５との無線接続を確立できるようにする情報を含んでもよい。状態情報４３は、サーバ３によって第１のユーザデバイス５から受け取られる情報を含んでもよい。前述のように、状態情報４３は、現在提供中のサービスに関する情報、付属デバイス１５に関する情報の何れか又は両方を含んでもよく、その他適切な情報を含んでもよい。状態情報４３は、第１のユーザデバイス５及び他のユーザデバイスの何れか又は両方の状態に関する情報を含んでもよい。
【０１４０】
ブロック６１で、第２のユーザデバイス７と付属デバイス１５との間の無線接続が確立されるべきか否かが決定される。実施例によっては、第２のユーザデバイス７は、第２のユーザデバイス７が新しい付属デバイス１５との接続を確立しようとしていることを示す通知をサーバ３に送信してもよい。
【０１４１】
新しい無線接続が確立されない場合、本方法はブロック５８に戻る。新しい無線接続が確立されない場合、ブロック６２で、第２のユーザデバイス７と付属デバイス１５との間で新しい無線接続が確立される。無線接続の確立後、第２のユーザデバイス７と付属デバイス１５を用いてサービスが提供される。
【０１４２】
状態情報４３は、無線接続の設定を可能にする付属デバイス１５の識別情報を含んでもよい。例えば、状態情報４３は、識別情報やリンクキー情報、ペアリング状態情報、付属デバイスの接続情報を含んでもよく、その他適切な情報を含んでもよい。
【０１４３】
状態情報４３は、ハンドオーバ発生時に第１のユーザデバイス５がサービスを提供していたのと同じ地点から第２のユーザデバイス７がサービスを提供できるように、現在提供中のサービスに関する情報を含んでもよい。これにより、付属デバイス１５は、ユーザに提供中のサービスを中断することなくユーザデバイス５，７の間を切り換えられるようになる。
【０１４４】
実施例によっては、第２のユーザデバイス７と付属デバイス１５との間の無線接続が確立されると、第１のユーザデバイス５と付属デバイス１５との間の無線接続が切断されてもよい。他の実施例では、第１のユーザデバイス５と付属デバイス１５との間の無線接続１７が維持され、これによって、ユーザが必要に応じて第１のユーザデバイス５の使用に戻すことが可能になってもよい。
【０１４５】
実施例によっては、状態情報４３は、現在第１のユーザデバイス５に接続されている複数の付属デバイス１５に関する情報を含んでもよい。第２のユーザデバイス７は、付属デバイス１５と第２のユーザデバイス７のどちらが接続されるべきかを決定してもよい。
【０１４６】
図６Ｃは、サーバ３によって実行可能な方法を示す。ブロック６３で、サービスが提供される。このサーバに対して、同一のユーザアカウント３５に複数のユーザデバイス５，７が登録されてもよい。あるいは、別のユーザアカウント３５にユーザデバイス５，７が登録されてもよい。サーバ３は、複数のユーザデバイス５，７の間の接続を維持するために通信ネットワーク９を利用してもよい。
【０１４７】
ブロック６４で、サーバは、第１のユーザデバイス５から状態情報４３を取得する。状態情報４３は、前述したようなトリガイベントに応じて、第１のユーザデバイス５が送信してもよい。状態情報４３は、第２のユーザデバイス７が付属デバイス１５との無線接続を確立できるようにする情報を含んでもよい。
【０１４８】
ブロック６５で、サーバ３は、別のユーザデバイス７と付属デバイス１５との間で新しい接続が必要となるか否かを決定してもよい。不要であれば、本方法はブロック６３に戻る。新しい接続が必要であれば、サーバ３はブロック６６で、第２のユーザデバイス７が新しい接続を確立できるように、状態情報４３を第２のユーザデバイス７に送信する。
【０１４９】
同一ユーザアカウント３５に２台を超える他のユーザデバイス５，７が登録されている場合、サーバ３はブロック６４で、ユーザデバイス５，７の中のどれに状態情報４３が送信されるべきかを決定してもよい。実施例によっては、サーバ３は、付属デバイス１５との新しい接続を確立するために他のユーザデバイス５，７の中のどれが使用されるべきかを決定してもよい。
【０１５０】
図６Ｃの実施例では、サーバ３は、付属デバイス１５との新しい接続が確立されるべきか否かを決定してもよい。他の実施例では、ユーザデバイス５，７は、新しい接続が必要であることを決定してもよい。実施例によっては、ユーザ入力に応じて新しい接続が確立されてもよい。例として、ユーザデバイス５，７の１つ又は複数は、ユーザが付属デバイス１５を別のユーザデバイス７に切り換えたいことを示せるように、ユーザにユーザ選択可能な選択肢を提供してもよい。
【０１５１】
図７は、別の例示的方法を示す。本方法は、前述した装置２１を用いて実行することができる。装置２１は、サーバ３又は他の適切なデバイス内に具備されてもよい。図７の方法は、ブロック７１で、第１のユーザデバイス５及び付属デバイス１５を用いてサービスが提供されるようにすることであって、付属デバイス１５は、無線接続１７を通じて第１のユーザデバイス５に接続され、複数のユーザデバイス５，７は１つのユーザアカウント３５に登録されている、前記提供されるようにすることを含む。
【０１５２】
図７の方法は、ブロック７３で第１のユーザデバイス５から状態情報を取得することと、ブロック７５でトリガイベントが発生したと決定することも含む。トリガイベントが発生したことの決定に応じて、本方法は、第２のユーザデバイス７が付属デバイス１５との無線接続を確立できるようにすることを含む。
【０１５３】
図８は、別の例示的方法を示す。本方法は、前述した装置２１を用いて実行することができる。装置２１は、前述のようなユーザデバイス５又は他の適切なデバイス内に具備されてもよい。図８の方法は、ブロック８１で、付属デバイス１５を用いてサービスが提供されるようにすることであって、付属デバイス１５は、無線接続を通じて装置２１に接続される、前記提供されるようにすることを含む。サービスはサーバ３を用いて有効化され、複数のユーザデバイス５，７がそのサービス用のユーザアカウント３５に登録される。本方法は、ブロック８３で状態情報４３をサーバ３に提供することであって、状態情報４３は、サービス用のユーザアカウントに登録された別のユーザデバイスが付属デバイス１５との無線接続１７を確立できるようにする、前記提供することも含む。
【０１５４】
図９は、別の例示的方法を示す。本方法は、前述した装置２１を用いて実行することができる。装置２１は、前述のようなユーザデバイス７又は他の適切なデバイス内に具備されてもよい。図９の方法は、ブロック９１でサーバ３との通信を可能にすることであって、サーバ３は、第１のユーザデバイス５及び付属デバイス１５を用いてサービスが提供されるように構成され、付属デバイス１５は、無線接続１７を通じて第１のユーザデバイス５に接続され、複数のユーザデバイス５，７はそのサービス用のユーザアカウント３５に登録されている、前記可能にすることを含む。本方法は、ブロック９３でサーバ３から状態情報を取得することと、ブロック９５で、トリガイベントが発生したと決定し、トリガイベントが発生したことの決定に応じて、付属デバイス１５との無線接続を確立することを含む。
【０１５５】
図６Ａ乃至９に示すブロックは、方法のステップ、コンピュータプログラム２９のコード区分の何れか又は全てを表わしてもよい。ブロックを特定の順序で図示することは、必須順序又は推奨順序の存在を必ずしも示唆していない。こうしたブロックの順序や配置構成は変更することができる。また、一部のブロックを省略することも可能である。
【０１５６】
前述した方法と装置２１により、付属デバイス１５は、ユーザに提供中のサービスを中断することなくユーザデバイス５，７の間をハンドオーバされるようになる。サーバ３及びサーバ３に保存された情報の何れか又は全ては、新しい接続が確立され、サービスが中断されずに提供されるように利用されてもよい。
【０１５７】
構造的特徴が記述されてきたが、こうした構造的特徴は、その構造的特徴における１つ又は複数の機能を実行する手段で置き換えられてもよい。こうした１つ又は複数の機能は明示的に記述されていてもよく、されていなくてもよい。
【０１５８】
実施例によっては、第１のユーザデバイス５及び付属デバイス１５を用いてサービスが提供されるようにする手段であって、付属デバイス１５は無線接続１７を通じて第１のユーザデバイス５に接続され、複数のユーザデバイスがそのサービス用のユーザアカウント３５に登録されている、前記提供されるようにする手段と；第１のユーザデバイス５から状態情報を取得する手段と；取得した状態情報を第２のユーザデバイス７に提供する手段であって、第２のユーザデバイス７はそのサービス用のユーザアカウント３５に登録されて、取得した状態情報は、第２のユーザデバイス７が付属デバイス１５との無線接続を確立できるようにする、前記提供する手段を備える装置２１が提供されてもよい。
【０１５９】
本明細書において「含む、備える（comprise）」という用語は、排他的な意味ではなく、包括的な意味で使用される。「Ｙを含むＸ」に関しては全て、「Ｘは１つのＹしか含むことができない」又は「複数のＹを含むことができる」を意味する。排他的な意味を有する「含む、備える（comprise）」を意図する場合は、「〜を１つのみ含むこと」又は「〜から成る」と言及することにより、文脈内で明確にされよう。
【０１６０】
本発明の詳細な説明では、リファレンスを様々な実施例にしている。実施例に関する特徴または機能の説明は、これらの特徴または機能が、その実施例に認められることを示す。本明細書中の「実施例（example）」「例えば（for example）」「〜できる、〜場合がある（may）」といった単語の使用は、明示的であれ非明示的であれ、特徴及び機能が、少なくとも記載された実施例に存在することを意味する。実施例としての記載及び不記載にかかわらず、これら特徴及び機能が、他の一部または全ての実施例に存在する可能性があるが、必ずしもそうではないことを意味する。このように、「実施例」「例えば」「〜できる、〜の場合がある」は、ある例示群における特定の事例であることを指す。上記特定の事例の特性は、その事例のみの特性である場合、または上記例示群に属する一部の群の特性である場合がある。すなわち、上記特定の事例の特性は、例示群中の例示の全特性とは限らないが特性の一部を含む。したがって、ある特定の実施例を参照しているが別の実施例を参照しないで記述された特徴は、それが他の実施例でも使用される可能性もあれば、他の実施例での使用が不要である可能性もあることを示唆している。
【０１６１】
前述の通り、本発明の様々な実施形態が様々な実施例と共に説明されてきたが、当然のごとく、特許請求の範囲に特定される発明の範囲を逸脱することなく、本明細書で紹介された実施例を変形することが可能である。
【０１６２】
これまでに記述してきた事項は、明示的に記述された組合せだけでなく、それ以外の組合せで用いられてもよい。
【０１６３】
特定の事項を参照して種々の機能を記述してきたが、こうした機能は、記述の有無を問わずその他の事項によって遂行可能であってもよい。
【０１６４】
特定の実施形態を参照して種々の事項を記述してきたが、こうした事項は、記述の有無を問わずその他の実施形態で用いられてもよい。
【０１６５】
前述のように本明細書において、とりわけ重要であると考えられる本発明のこうした事項に注目するように努めてきた。しかし、前述した特許されうる全ての事項およびそれらの組合せに対して、参照された添付の図面にそうした事項が特段強調されていたかどうかにかかわらず、本出願人はその保護を求めるものである点を理解されたい。
【図１】
2017519383.tif 000003
【図２】
2017519383.tif 000004
【図３】
2017519383.tif 000005
【図４】
2017519383.tif 000006
【図５】
2017519383.tif 000007
【図６】
2017519383.tif 000008
【図７】
2017519383.tif 000009
【図８】
2017519383.tif 000010
【図９】
2017519383.tif 000011
【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
第１のユーザデバイス及び付属デバイスを用いてサービスが提供されるようにする手段であって、前記付属デバイスは無線接続を通じて前記第１のユーザデバイスに接続され、複数のユーザデバイスはユーザアカウントに登録されている、前記提供されるようにする手段と；
トリガイベントが発生したことを決定する手段であって、前記トリガイベントは、ユーザが第２のユーザデバイスを使用中であることを示す情報の取得を含み、該第２のユーザデバイスは前記同一のユーザアカウントに登録されている、前記決定する手段と；
トリガイベントが発生したことの決定に応じて、前記第２のユーザデバイスが前記付属デバイスとの無線接続を確立できるようにする手段と；
を備える、装置。
【請求項２】
前記第２のユーザデバイス及び前記付属デバイス間の無線接続が確立された後、前記第２のユーザデバイス及び前記付属デバイスを用いて前記サービスが提供されるようにする手段を更に備える、請求項１に記載の装置。
【請求項３】
前記装置は、前記第１のユーザデバイス及び前記付属デバイス間の無線接続の性能水準に関する情報を取得する手段を更に備え、前記トリガイベントは、前記第１のユーザデバイス及び前記付属デバイス間の無線接続が所定の水準より下がることの検出を含む、請求項１に記載の装置。
【請求項４】
前記装置は、インターネット接続を通じて前記第１及び第２のユーザデバイスに接続するように構成される、請求項１乃至３の何れかに記載の装置。
【請求項５】
請求項１乃至４の何れかに記載の装置を備える、サーバ。
【請求項６】
第１のユーザデバイス及び付属デバイスを用いてサービスが提供されるようにすることであって、前記付属デバイスは無線接続を通じて前記第１のユーザデバイスに接続され、複数のユーザデバイスはユーザアカウントに登録されている、前記提供されるようにすることと；
トリガイベントが発生したと決定することであって、前記トリガイベントは、ユーザが第２のユーザデバイスを使用中であることを示す情報の取得を含み、該第２のユーザデバイスは前記同一のユーザアカウントに登録されている、前記決定することと；
トリガイベントが発生したことの決定に応じて、前記第２のユーザデバイスが前記付属デバイスとの無線接続を確立できるようにすることと；
を含む、方法。
【請求項７】
前記第２のユーザデバイス及び前記付属デバイス間の無線接続が確立された後、前記第２のユーザデバイス及び前記付属デバイスを用いて前記サービスが提供されるようにすることを更に含む、請求項６に記載の方法。
【請求項８】
前記第１のユーザデバイス及び前記付属デバイス間の無線接続の性能水準に関する情報を取得することを更に含み、前記トリガイベントは、前記第１のユーザデバイス及び前記付属デバイス間の無線接続の性能水準が所定の水準より下がることの検出を含む、請求項６に記載の方法。
【請求項９】
サーバと通信することであって、前記サーバは、第１のユーザデバイス及び付属デバイスを用いてサービスが提供されるように構成され、前記付属デバイスは、無線接続を通じて前記第１のユーザデバイスに接続され、前記同一のサービス用ユーザアカウントに装置及び前記第１のユーザデバイスが登録されている、前記通信することと；
前記サーバから状態情報を取得することと；
トリガイベントが発生したことの決定に応じて、前記付属デバイスとの無線接続を確立することであって、前記トリガイベントは、ユーザが前記装置を使用中であることを示す情報の取得を含む、前記確立することと；
を含む、方法。
【請求項１０】
前記付属デバイスとの無線接続が確立された後、前記装置及び前記付属デバイスを用いて前記サービスが提供される、請求項９に記載の方法。
【請求項１１】
コンピュータでの処理手段で実行されると、前記コンピュータに、請求項６乃至１０の何れかに記載の方法のステップを実行させるように構成されるコンピュータ可読コードを含む、コンピュータプログラム。
【請求項１２】
装置であって、
サーバと通信する手段であって、前記サーバは、第１のユーザデバイス及び付属デバイスを用いてサービスが提供されるように構成され、前記付属デバイスは、無線接続を通じて前記第１のユーザデバイスに接続され、前記同一のサービス用ユーザアカウントに前記装置及び前記第１のユーザデバイスが登録されている、前記通信する手段と；
前記サーバから状態情報を取得する手段と；
トリガイベントが発生したことの決定に応じて、前記付属デバイスとの無線接続を確立する手段であって、前記トリガイベントは、ユーザが前記装置を使用中であることを示す情報の取得を含む、前記確立する手段と；
を備える、装置。
【請求項１３】
請求項１２に記載の装置であって、前記付属デバイスとの無線接続が確立された後、前記装置及び前記付属デバイスを用いて前記サービスが提供される、装置。
【国際調査報告】
2017519383.tif 000012
2017519383.tif 000013
2017519383.tif 000014